(57)【要約】【課題】記録対象とする記録メディアの空き容量を確保するためにデータを移動する際に、必要以上に時間がかかり、ムダに電力を消耗することがある。【解決手段】データ移動判定部１０９に指示に基づきデータ選択部１１０での移動すべき映像データを選択する際、記録メディア１０６の保存済映像データのサイズを検出し、その中で映像データのサイズの小さなものから順に選択する。そして、選択データ移動部１１１で移動を行なう。これにより、映像データの移動に要する時間を最適化できるので、バッテリーの浪費を回避することができる。【選択図】図１
2007115357.tif 000002
【特許請求の範囲】
【請求項１】
第１の記録メディアと第２の記録メディアに対してデータを記録するデータ記録装置であって、
新たにデータを記録する前記第１の記録メディアの空き容量を検出し、空き容量が所定値以下の場合にデータの移動を指示するデータ移動判定部と、
前記データ移動判定部の指示に基づき前記第１の記録メディアから移動するデータを選択するデータ選択部と、
前記データ選択部で選択されたデータを前記第１の記録メディアから前記第２の記録メディアへ移動する選択データ移動部と、を備え、
前記データ選択部は、データのサイズが小さいものから移動するデータを選択するデータ記録装置。
【請求項２】
前記データ移動判定部は、データの移動先の前記第２の記録メディアの空き容量を検出し、
前記データ選択部は、検出された前記第２の記録メディアの空き容量に対して、移動するデータの個数が最大となるように選択する請求項１記載のデータ記録装置。
【請求項３】
第１の記録メディアと第２の記録メディアに対してデータを記録するデータ記録方法であって、
新たにデータを記録する前記第１の記録メディアの空き容量を検出し、空き容量が所定値以下の場合にデータの移動を指示するデータ移動判定ステップと、
前記データ移動判定ステップの指示に基づき前記第１の記録メディアから移動するデータを選択するデータ選択ステップと、
前記データ選択ステップで選択されたデータを前記第１の記録メディアから前記第２の記録メディアへ移動する選択データ移動ステップと、を備え、
前記データ選択ステップは、データのサイズの小さいものから移動するデータを選択するデータ記録方法。
【請求項４】
前記データ移動判定ステップは、データの移動先の前記第２の記録メディアの空き容量を検出し、
前記データ選択ステップは、検出された前記第２の記録メディアの空き容量に対して、移動するデータの個数が最大となるように選択する請求項３記載のデータ記録方法。
【発明の詳細な説明】
【技術分野】
【０００１】
本発明は、映像や音声などのデータを複数の記録媒体に選択的に記録するデータ記録装置及びデータ記録方法に関する。
【背景技術】
【０００２】
近年、オーディオ・ビデオ機器はデジタル化が進み、光ディスク、磁気ディスク、半導体メモリなどの様々な記録媒体が利用されるようになってきている。この様な記録媒体は、記録できる容量に上限があるため、効率的な利用方法が求められている。中でも、データを適切に記録するための空き容量を確保するために、記録媒体間でデータを移動するものがある（特許文献１）。
【特許文献１】特開２００５−２６７７７号公報
【発明の開示】
【発明が解決しようとする課題】
【０００３】
従来の機器において、記録媒体間でデータを移動する場合、単に記録メディアに空き容量の確保のみが考慮され、どの映像データを移動するについては考慮されていなかった。そのため映像データの移動に際し、不必要に大きなファイルを移動してしまうことで、その移動に長い時間を要してしまい、結果としてデジタルムービーのバッテリーを浪費してしまうなどの課題があった。
【０００４】
本発明のデータ記録装置では、移動すべき映像データの選択を的確に行うことで映像データ移動量及び移動時間を最適化し、デジタルムービー等の機器のバッテリーの浪費を回避することを目的とする。
【課題を解決するための手段】
【０００５】
上記課題を解決するために本発明は、第１の記録メディアと第２の記録メディアに対してデータを記録するデータ記録装置であって、新たにデータを記録する前記第１の記録メディアの空き容量を検出し、空き容量が所定値以下の場合にデータの移動を指示するデータ移動判定部と、前記データ移動判定部の指示に基づき前記第１の記録メディアから移動するデータを選択するデータ選択部と、前記データ選択部で選択されたデータを前記第１の記録メディアから前記第２の記録メディアへ移動する選択データ移動部と、を備え、前記データ選択部は、データのサイズが小さいものから移動するデータを選択する。
【０００６】
更に、前記データ移動判定部は、データの移動先の前記第２の記録メディアの空き容量を検出し、前記データ選択部は、検出された前記第２の記録メディアの空き容量に対して、移動するデータの個数が最大となるように選択するようにしても良い。
【０００７】
また本発明は、第１の記録メディアと第２の記録メディアに対してデータを記録するデータ記録方法であって、新たにデータを記録する前記第１の記録メディアの空き容量を検出し、空き容量が所定値以下の場合にデータの移動を指示するデータ移動判定ステップと、前記データ移動判定ステップの指示に基づき前記第１の記録メディアから移動するデータを選択するデータ選択ステップと、前記データ選択ステップで選択されたデータを前記第１の記録メディアから前記第２の記録メディアへ移動する選択データ移動ステップと、を備え、前記データ選択ステップは、データのサイズの小さいものから移動するデータを選択する。
【０００８】
更に、前記データ移動判定ステップは、データの移動先の前記第２の記録メディアの空き容量を検出し、前記データ選択ステップは、検出された前記第２の記録メディアの空き容量に対して、移動するデータの個数が最大となるように選択するようにしても良い。
【発明の効果】
【０００９】
本発明によれば、第１の記録メディアに所定の空き領域を確保するための映像データの移動が最適化されて、不必要に大きなファイルを選択してしまうことによってその移動に長い時間を要してしまうことが抑制され、操作性が向上するとともに機器の電力の浪費を回避することが出来る。
【発明を実施するための最良の形態】
【００１０】
以下の本発明の実施の形態について図面を用いて説明する。
【００１１】
（実施の形態１）
図１は、本発明の実施の形態によるデータ記録装置の構成を示すブロック図である。本実施の形態では、データ記録装置として、複数記録メディアを備えるデジタルムービーに適用した例を示している。
【００１２】
図１において、１０１は撮像部でありレンズに写った被写体を撮影し電気信号（映像信号）に変換して出力する。１０２は映像データ処理部であり撮像部１０１からの映像信号に圧縮処理などの映像処理を施す。映像データ処理部１０２で処理された映像データは、内部バス１０３及びメディアインターフェース（メディアＩ／Ｆ）１０４，１０５を介し記録メディア１０６，１０７に記録される。移動処理に係る一連の制御は、データ制御部１０８で行われる。またデータ制御部１０８は、データ移動判定部１０９、データ選択部１１０、選択データ移動部１１１を備える。なお、デジタルムービーとして必要な構成（例えば、操作部や表示部など）は省略する。
【００１３】
データ移動判定部１０９は、記録メディア１０６及び記録メディア１０７の空き容量を検出する。更にデータ移動判定部１０９は、現在記録中の映像データ、若しくはこれから記録する映像データを、記録メディア１０６（あるいは記録メディア１０７）に保存するために必要となる記録メディア１０６の空き容量を求めることが出来る。
【００１４】
更にデータ移動判定部１０９は、検出した記録メディアの空き容量と、記録に必要な空き容量から、対象となる記録メディアで不足する空き容量を算出することが出来る。
【００１５】
データ選択部１１０は、データ移動判定部１０９から移動必要性に関する情報（移動必要性指示）を受け取る。更にデータ選択部１１０は、記録メディア１０６に保存された複数の映像データのデータサイズを検出する。更にデータ選択部１１０は、記録メディア１０６に保存された複数の映像データに関するデータサイズ情報から、記録メディア１０７に移動すべき映像データを選択・決定する。
【００１６】
選択データ移動部１１１は、データ選択部１１０が記録メディア１０６に保存されている複数の映像データから、いずれを選択したかの情報をデータ選択部１１０から受け取る。更に選択データ移動部１１１は、記録メディア１０６に保存されている任意の映像データを記録メディア１０７に移動する。
【００１７】
記録メディア１０７は、移動された映像データを任意の映像データとして保存する。
【００１８】
図４は、本実施の形態におけるデータ制御部１０８の動作を示すフローチャートである。
【００１９】
ステップＳ４０１において、データ移動判定部１０９が記録メディア１０６の空き領域サイズを検出する。次のステップＳ４０２で、Ｓ４０１で検出した空き領域サイズが、事前にデータ移動判定部１０９に設定されている基準値を下回っているかを判定する。Ｓ４０２で基準値を下回っていない場合（Ｎｏ）には、再度ステップＳ４０１に戻り、下回っている場合（Ｙｅｓ）にはステップＳ４０３に移動する。
【００２０】
ステップＳ４０３において、データ選択部１１０は、データ移動判定部１０９からの移動必要性情報に基づき、記録メディア１０６に保存されている複数の映像データの中で最もサイズが小さいものを検索する。
【００２１】
ステップＳ４０４において、選択データ移動部１１１は、データ選択部１１０で選択された映像データを記録メディア１０６から記録メディア１０７に移動する。
【００２２】
以下では、上記の制御をデジタルムービーの動作に合わせて説明する。
【００２３】
図２は、ステップＳ４０１において検出された記録メディア１０６および１０７の空き領域サイズと各映像データのサイズの例を示す模式図である。図２において、記録メディア１０６の空き領域サイズは３００ＫＢ、保存されている映像データ＃１から＃４の各データサイズは、３００ＫＢ、１００ＫＢ、２００ＫＢ、１００ＫＢである。また、記録メディア１０７の空き領域サイズは３００ＫＢ、保存されている映像データ＃５のデータサイズは７００ＫＢである。
【００２４】
図３は、本実施の形態において記録動作を行なった場合のデータサイズの変化を示す波形図であり、同図（ａ）は映像データ処理部１０２で生成される映像データ＃６のデータ量の変化であり、ここでは２００ＫＢのデータ量になるものとする。同図（ｂ）は記録メディア（＃１）１０６のデータ量の変化、同図（ｃ）は記録メディア（＃２）１０７のデータ量の変化を示している。
【００２５】
時刻Ｔ０において録画が開始され、映像データ処理部１０２により生成された映像データ＃６が記録メディア１０６に記録される。従って、記録メディア１０６のデータ量が徐々に増加し、空き領域サイズが徐々に減少して行く。時刻Ｔ１において、データ移動判定部１０９が記録メディア１０６の空き領域サイズが基準値（ここでは２００ＫＢとする）を下回る。そこで、データ移動判定部１０９はデータの移動が必要である旨の移動必要性指示をデータ選択部１１０に通知する。
【００２６】
データ選択部１１０は、記録メディア１０６に保存されているデータ＃１〜＃４の中から最もサイズの小さい映像データを検索する。図２の例ではデータ＃２とデータ＃４である。データ選択部１１０は所定の順位（本例では番号順としているが、記録日が古いものでも任意に設計すればよい）でデータ＃２を特定し、その情報を選択データ移動部１１１に通知する。
【００２７】
選択データ移動部１１１は、選択されたデータ＃２を記録メディア１０６から記録メディア１０７へ移動させる。従って、時刻Ｔ１から記録メディア１０７の記録容量が徐々に増加し始める。一方、デジタルムービーとしての記録動作は継続されているので、記録メディア１０６のデータ量は減少せずに一定となる。ここでは、記録メディア１０６へのデータ＃６の記録レートと、記録メディア１０６から記録メディア１０７へ移動するデータ＃２の記録レートが同じとしている。
【００２８】
その後、時刻Ｔ２において、記録動作が終了して記録メディア１０６に新たな映像データが生成される。
【００２９】
図５が時刻Ｔ２における記録メディア１０６、１０７の状態を示す模式図であり、記録メディア１０６では、データ＃２（１００ＫＢ）が移動して消されている代わりに新たにデータ＃６（２００ＫＢ）が増え、空き領域サイズが２００ＫＢとなる。また、記録メディア１０７はデータ＃２（１００Ｋ）が増え、空き領域サイズが２００ＫＢとなる。
【００３０】
以上のように本実施の形態によれば、記録対象の記録メディアの空き容量が所定量以下になった場合に、最小のデータサイズを有する映像データを選択して別の記録媒体に移動するので、記録を中断することなく継続でき、また移動に要する時間も最小で済むので、操作性がよく、また消費電力の節約を可能である。
【００３１】
なお、上記実施の形態において、データ記録装置の一部（例えば、映像データ処理部１０２やデータ制御部１０８など）はＣＰＵ及びメモリなどから成るコンピュータ資源を用いるソフトウェアまたは方法として実施可能であることは言うまでもない。
【００３２】
また、上記実施の形態において、複数の記録メディアは、半導体メモリ、光ディスク、磁気ディスクまたはそれらの組み合わせであっても良い。
【００３３】
また、上記実施の形態において、データ移動判定部１０９は、移動先の記録メディア１０７の空き容量を検出し、データ選択部１１０は選択された記録メディア１０７の空き容量の個数が最大となるように選択してもよい。例えば、図２に示す例では、データ＃２とデータ＃４が選択される。個数が最大とすることで、移動に要する時間を細切れにすることが可能となり、新たな映像データの記録が終了しているにも関らす移動処理が継続することを防ぐことができる。
【００３４】
また、上記実施の形態において、扱うデータを映像データとしているが、音声データやその他、如何なるものでもよい。
【産業上の利用可能性】
【００３５】
以上のように、本発明によるデータ記録装置及びデータ記録方法は、対象とする記録メディアに所定の空き領域を確保するための映像データの移動処理を最適化し、操作性が向上するとともに機器の電力の浪費を回避することが出来るという効果を有し、複数の記録メディアを有する各種機器において有用である。
【図面の簡単な説明】
【００３６】
【図１】本発明の実施の形態によるデータ記録装置の構成を示すブロック図
【図２】同データ記録装置における記録メディアの状態を示す概念図
【図３】同データ記録装置における記録動作の様子を示す波形図
【図４】同データ記録装置の動作を示すフローチャート
【図５】同データ記録装置における移動後の記録メディアの状態を示す概念図
【符号の説明】
【００３７】
１０１    撮像部
１０２    映像データ処理部
１０３    内部バス
１０４、１０５    メディアＩ／Ｆ
１０６、１０７    記録メディア
１０８    データ制御部
１０９    データ移動判定部
１１０    データ選択部
１１１    選択データ移動部
【図１】
2007115357.tif 000003
【図２】
2007115357.tif 000004
【図３】
2007115357.tif 000005
【図４】
2007115357.tif 000006
【図５】
2007115357.tif 000007